(57)【要約】      （修正有）【課題】推進管を敷設の際に発生する目地の開口を許容範囲内に制限することにより、目地開口長の許容範囲を超えることで懸念される推進管の破損やクラックの発生を防止することを目的とした緊結プレートを提供する。【解決手段】両端に長孔２を穿設した長板であって、配設した管の曲線部の内壁面に長手方向に留め具を介して設置することにより、管の目地の開きを調整することを特徴とする緊結プレート１と、該緊結プレートの設置を、一方の緊結プレートの端部に他方の緊結プレートの端部を長孔同士が略同位置になるように重ね合わせた状態で各長孔の略中央にボルト３を挿通して緊結プレートを前記管の目地部分を跨ぐように固定することで、重ね合った各緊結プレートの位置がボルト留めされた長孔の幅を限度に移動し、前記管の目地部分の開きを調整可能としたことを特徴とする。【選択図】図１
0003158824.tif 000002
【実用新案登録請求の範囲】
【請求項１】
両端に長孔を穿設した長板であって、配設した管の曲線部の内壁面に長手方向に留め具を介して前記長板を設置することにより、前記管の目地の開きを調整することを特徴とする緊結プレート。
【請求項２】
前記緊結プレートの設置を、一方の緊結プレートの端部に他方の緊結プレートの端部を長孔同士が略同位置になるように重ね合わせて各長孔の略中央にボルトを挿通して緊結プレートを前記管の目地部分を跨ぐように固定し、重ね合った各緊結プレートの位置がボルト留めされた長孔の幅を限度に移動し、前記管の目地部分の開きを調整可能としたことを特徴とする請求項１に記載の緊結プレート。
【請求項３】
前記管を、推進管としたことを特徴とする請求項１又は請求項２の何れか１項に記載の緊結プレート。
【考案の詳細な説明】
【技術分野】
【０００１】
本考案は、曲線推進工法で使用される推進管の曲線部における開きを調整するために用いる緊結プレートに関する。
【背景技術】
【０００２】
従来、推進工法は、先頭の掘進機の後方に連結した推進管を、掘進機により造成されたトンネル孔に推し進められるように敷設する曲線施工が多く行われている。その際、曲線部においては、推進管の継手部や可撓部の曲線外側の目地が開口して屈曲して曲線を形成している。
【０００３】
しかしながら、曲線推進の掘削トンネルは、管外径に対して一定の余裕を持たせた径となっているため、曲線内での管の曲がりにはばらつきが生じることが多く、それを均等に近づけることが望まれていた。
【先行技術文献】
【特許文献】
【０００４】
【特許文献１】特開平１０−２１２８９７号公報
【考案の概要】
【考案が解決しようとする課題】
【０００５】
そこで、本考案は、推進管を敷設の際に発生する目地の開口を許容範囲内に制限かつ均等にすることにより、目地開口長の許容範囲を超えることで懸念される水密性能の低下や、推進管の破損等の発生を防止することを目的とした緊結プレートを提供する。
【課題を解決するための手段】
【０００６】
本考案は、上記の課題を解決するために、先ず、両端に長孔を穿設した長板であって、
配設した管の曲線部の内壁面に長手方向に留め具を介して設置することにより、管の目地の開きを調整することを特徴とする緊結プレートの構成とした。
【０００７】
また、前記緊結プレートの設置を、一方の緊結プレートの端部に他方の緊結プレートの端部を長孔同士が略同位置になるように重ね合わせた状態で各長孔の略中央にボルトを挿通して緊結プレートを前記管の目地部分を跨ぐように固定することで、重ね合った各緊結プレートの位置がボルト留めされた長孔の幅を限度に移動し、前記管の目地部分の開きを調整可能としたことを特徴とする緊結プレートの構成とした。
【０００８】
更に、前記管を、推進管としたことを特徴とする緊結プレートの構成とした。
【考案の効果】
【０００９】
本考案の緊結プレートを使用することで、管の継手部や可撓部において曲線外側の目地の開口が均等にすることができ、推進管の継手部や可撓部の水密性能の低下や、破損等の発生を防止することができる。
【図面の簡単な説明】
【００１０】
【図１】本考案である緊結プレートを使用して推進管を連結した状態を示した透過図である。
【図２】図１におけるＡ−Ａ線の断面図である。
【図３】本考案である緊結プレートを示した図である。
【図４】本考案である緊結プレートを使用して推進管を連結した状態を示した拡大断面図である。
【図５】本考案である緊結プレートを使用して推進管を連結した状態を示した透過図である。
【考案を実施するための形態】
【００１１】
以下、添付の図面を参照し、本考案の実施の形態について詳細に説明する。
【実施例１】
【００１２】
図１は本考案である緊結プレートを使用して推進管を連結した状態を示した透過図、図２は図１におけるＡ−Ａ線の断面図、図３は本考案である緊結プレートを示した図、図４は緊結プレートを使用して推進管を連結した状態を示した拡大断面図である。
【００１３】
図１から図３に示すように、本考案である緊結プレート１は、両端に長孔２を穿設した長板であって、配設した管の曲線部の内壁面に長手方向に留め具を介して設置することにより、管の目地の開きを調整するプレートである。
【００１４】
図３において前記留め具は、ボルト３を示しているが、特に限定したものではなく、ボルト３以外であっても良く、また、前記管は特に曲線推進工法で使用される推進管５としたが、これに限定したものではなく、他の管においても使用されることも考えられる。
【００１５】
前記ボルト３を使用した場合、管の内壁面に直接螺合して本考案の緊結プレート１を取り付けても良く、また、予め管の内壁面にナット４を埋設して、前記ボルト３を埋設したナット４に螺合することで緊結プレート１を取り付けてもよい。
【００１６】
尚、このとき、前記ボルト３の位置は、緊結プレート１の各長孔２の中央であることが好ましく、このように設置することで、目地の開きによるボルト３の位置移動が長孔幅に限定され、従って目地開口長が許容範囲内に制限されることとなる。
【００１７】
図１に示すように、複数枚の緊結プレートを連続して取り付ける場合は、一方の緊結プレートの端部に他方の緊結プレートの端部を長孔同士が略同位置になるように重ね合わせた状態で各長孔の略中央にボルトを挿通して緊結プレートを前記管の目地部分を跨ぐように固定し、重ね合った各緊結プレートの位置がボルト留めされた長孔の幅を限度に移動し、前記管の目地部分の開きを調整することができる。
【００１８】
次に各図面を使用して、本考案である緊結プレート１を取り付けた状態を詳細に説明することとする。
【００１９】
図１から図４に示すように、可撓部６を備えた推進管５に取り付ける場合は、可撓部６全体を跨ぐように緊結プレート１を取り付ける。前記可撓部６は可撓ゴム６ａと前記可撓ゴム６ａの中央に位置する目地板６ｃ及び可撓ゴム６ａの周面を保護するウェアー６ｂとからなる。
【００２０】
また、推進管５同士を連結した継ぎ手部分を跨ぐように本考案の緊結プレート１を取付けて継ぎ手部分における開口長を制限する。尚、前記継ぎ手部分は、推進管５の挿入する側の端部５ａを他の推進管５の挿入される側の端部５ｂに挿入して連結した部分をいい、前記挿入される側の端部５ｂの周面には継ぎ手カラー５ｃが取り付けられている。
【００２１】
図４に示すように、本考案である緊結プレート１を複数連結して推進管５に取り付ける場合、各緊結プレートが交互に上下の位置となるように設置してゆく。即ち、ある一つの緊結プレート１に対して、その両端に連結される他の緊結プレート１、１はそれぞれ下側に重ねた状態となって連結されている。
【００２２】
また、ある一つの緊結プレート１に対して、その両端に連結される他の緊結プレート１、１はそれぞれ上側に重ねた状態となって連結されている。
【００２３】
従って、ある一つの緊結プレート１において、一端が他の緊結プレートの上側にあり、他端が他の緊結プレートの下側となるような連結ではなく、一つの緊結プレート１においては、両端とも他の緊結プレートの上側であるか、両端とも他の緊結プレートの下側となっている。
【００２４】
このように、ボルト１本に対して２枚の緊結プレートが対方向にかけあい、かつその緊結プレートが管路方向に連続しているにより、前後の管に引張力を伝達させることができる。
【００２５】
また、緊結プレートの設置本数については、図１に示すように特に２本を平行して取り付けたものに限定されず、１本であっても複数本であってもよい。
【００２６】
図５は本考案である緊結プレートを使用して推進管を連結した状態を示した透過図である。図５では、可撓部を備えていない推進管で緊結プレートを取り付けた状態を示しており、緊結プレート１の取付け方法は図１から図４の可撓部を備えている推進管の場合と特に変わりはない。
【００２７】
即ち、推進管５同士の継ぎ手部分を跨ぐように緊結プレート１を取り付ければよく、また１本であっても複数本平行して取り付けてもよい。
【００２８】
更に、緊結プレート１の固定にはボルト３等の留め具を使用し、留め具にボルト３を使用した場合は、ボルト３を直接推進管５の内壁面に螺合する場合や、予め推進管の内壁面にナット４を埋設して、前記ナット４にボルト３を螺合する場合がある。
【産業上の利用可能性】
【００２９】
本考案である緊結プレートは、推進工法において、管の目地開口長を均等にして、継手等の水密性能の低下や管の破損等の発生を防止することができ、ヒューム管業界に多大な貢献をもたらす。
【符号の説明】
【００３０】
１    緊結プレート
２    長孔
３    ボルト
４    ナット
５    推進管
５ａ  挿入する側の端部
５ｂ  挿入される側の端部
５ｃ  継ぎ手カラー
６    可撓部
６ａ  可撓ゴム
６ｂ  ウェアー
６ｃ  目地板
【図１】
0003158824.tif 000003
【図２】
0003158824.tif 000004
【図３】
0003158824.tif 000005
【図４】
0003158824.tif 000006
【図５】
0003158824.tif 000007
【手続補正書】
【提出日】平成22年2月24日(2010.2.24)
【手続補正１】
【補正対象書類名】実用新案登録請求の範囲
【補正対象項目名】全文
【補正方法】変更
【補正の内容】
【実用新案登録請求の範囲】
【請求項１】
配設した管の曲線部の内壁面に長手方向に留め具を介して固定し、前記曲線部の目地の開きを調整する緊結プレートであって、長板の両端部に長孔を穿設したことを特徴とする緊結プレート。
【請求項２】
前記緊結プレートの設置を、一方の緊結プレートの端部に他方の緊結プレートの端部を長孔同士が略同位置になるように重ね合わせて各長孔の略中央にボルトを挿通して緊結プレートを前記管の目地部分を跨ぐように固定し、重ね合った各緊結プレートの位置がボルト留めされた長孔の幅を限度に移動し、前記管の目地部分の開きを調整可能としたことを特徴とする請求項１に記載の緊結プレート。
【請求項３】
前記管を、推進管としたことを特徴とする請求項１又は請求項２の何れか１項に記載の緊結プレート。